(57)【特許請求の範囲】
【請求項１】
ダム堰体の貯水池側のコンクリート面に水密金物を介して設置される側部戸当りと、ダム堰体の貯水池側の水平部に水密金物を介して、或いは前記側部戸当りに設置される底部戸当りと、この底部戸当り上に重合状に配置され、かつ、脚部を介して前記側部戸当りに設置されるケーソンを備え、側部戸当りは、平面視「Ｌ」字型に形成して、突出部が互いに外側に位置するように配置し、これら突出部間にケーソンの脚部を受け入れて、横方向の荷重を突出部で支持させると共に、突出部とケーソン間をターンバックル形式の金物で引き締めるようにしたことを特徴とする水中仮締切り設備。
【発明の詳細な説明】
【０００１】
【発明の属する技術分野】
本発明は、例えばダム施設の改良工事を行うに際し、ダム堰体と貯水池とを分離すべく、ダム堰体に取付ける水中仮締切り設備に関するものである。
【０００２】
【従来の技術】
例えばダム施設の改良工事を行う場合、工事に先立ち、貯水池側におけるダム堰体のコンクリート面に、一時的に水中仮締切り設備を取付け、ダム堰体における工事部分と貯水池とを分離する。以下、従来の水中仮締切り設備を図２に基づいて説明する。
【０００３】
図２において、１はケーソンであり、ダム堰体２の貯水池側のコンクリート面２ａに、何らかの作業空間を確保するために取付けられる箱型の構造物である。このケーソン１は、平面的に「コ」の字型のラーメン構造で、高さ方向に、複数のブロック１ａに水平分割されている。
【０００４】
ケーソン１は、前記ダム堰体２の貯水池側の水平部２ｂに予め据付けられた底部戸当り３上に設置し、この底部戸当り３と、前記コンクリート面２ａに予め据付けられた側部戸当たり４と一体化して図示省略した水密金物によって水密を保ち、内部に作業空間５を確保している。
【０００５】
【発明が解決しようとする課題】
ところで、上記した構造の水中仮締切り設備においては、地震時動水圧やケーソン自重による地震時慣性力に抗するため、図２に示すように、ダム堰体２にアンカー６を取付け、ターンバックル形式の金物７により、ケーソン１を引き締めていた。
【０００６】
しかしながら、上記したような従来の水中仮締切り設備では、側部戸当り４を取付けるためのアンカー８以外に、ダム堰体２にケーソン１を引き締めるためのアンカー６が多数必要となり、組立に要する時間が長くなると言う問題が有った。
【０００７】
本発明は、上記した従来の水中仮締切り設備が有していた問題点に鑑みてなされたものであり、ダム堰体にケーソンを引き締めるためのアンカーを省略することができる水中仮締切り設備を提供することを目的としている。
【０００８】
【課題を解決するための手段】
上記した目的を達成するために、本発明の水中仮締切り設備では、側部戸当りを平面視「Ｌ」字型に形成して、突出部が互いに外側に位置するように配置し、これら突出部間にケーソンの脚部を受け入れて、横方向の荷重を突出部で支持させると共に、突出部とケーソン間をターンバックル形式の金物で引き締めるようにしている。そして、このようにすることで、側部戸当りを取付けるためのアンカーに、ダム堰体にケーソンを引き締めるためのアンカーを兼ねさせることができるようになる。
【０００９】
【発明の実施の形態】
本発明の水中仮締切り設備は、ダム堰体の貯水池側のコンクリート面に水密金物を介して設置される側部戸当りと、ダム堰体の貯水池側の水平部に水密金物を介して、或いは前記側部戸当りに設置される底部戸当りと、この底部戸当り上に重合状に配置され、かつ、脚部を介して前記側部戸当りに設置されるケーソンを備え、側部戸当りは、平面視「Ｌ」字型に形成して、突出部が互いに外側に位置するように配置し、これら突出部間にケーソンの脚部を受け入れて、横方向の荷重を突出部で支持させると共に、突出部とケーソン間をターンバックル形式の金物で引き締めるようにしたものである。
【００１０】
本発明の水中仮締切り設備では、横方向の荷重を側部戸当りの突出部で支持させるので、ターンバックル形式の金物は縦方向の荷重のみ受け持てば良い。したがって、側部戸当りを取付けるためのアンカーに、ダム堰体にケーソンを引き締めるためのアンカーを兼ねさせることができ、従来、別途必要としていた、ダム堰体にケーソンを引き締めるためのアンカーを省略することができる。
【００１１】
【実施例】
以下、本発明の水中仮締切り設備を図１に示す一実施例に基づいて説明する。なお、図１中、図２と同一符号は同一部分或いは相当部分を示し、詳細な説明を省略する。
図１（ａ）は本発明の水中仮締切り設備の概略平面図、（ｂ）は（ａ）の正面図である。
【００１２】
図１において、１１は本発明の水中仮締切り設備を構成する左右で対をなす側部戸当りであり、例えば図１（ａ）に示すように、平面視「Ｌ」字型に形成し、突出部１１ａが互いに外側に位置するように、アンカー８によってダム堰体２のコンクリート面２ａに固定配置されている。
【００１３】
そして、前記したようにダム堰体２に固定配置した対をなす側部戸当り１１の突出部１１ａ間にケーソン１を構成する各ブロック１ａの脚部１ａａを受け入れ、これら対をなす側部戸当り１１の突出部１１ａで横方向（図１（ａ）における紙面左右方向）の荷重を支持するようにする。
【００１４】
１２はターンバックル形式の金物であり、側部戸当り１１の突出部１１ａと、ケーソン１を構成する各ブロック１ａの脚部１ａａの間に介設し、ケーソン１を構成する各ブロック１ａをダム堰体２側に引き締めるものである。
【００１５】
上記した構成の本発明の水中仮締切り設備では、横方向に作用する荷重を、ケーソン１を構成する各ブロック１ａの脚部１ａａを介して側部戸当り１１の突出部１１ａで支持させることとしている。
【００１６】
このような構成となすことで、本発明の水中仮締切り設備では、従来の水中仮締切り設備におけるターンバックル形式の金物７のように、金物７が横方向と縦方向（図１（ａ）における紙面上下方向）の荷重を受け持つのではなく、ターンバックル形式の金物１２は、縦方向の荷重のみを受け持てば良いだけになる。
【００１７】
したがって、本発明の水中仮締切り設備では、側部戸当り１１を取付けるためのアンカー８に、ダム堰体２にケーソンを引き締めるためのアンカーを兼ねさせることができるようになって、従来、別途必要としていた、ダム堰体２にケーソン１を引き締めるためのアンカー６を省略することができる。加えて、ターンバックル形式の金物１２も従来の金物７より細いもので良くなる。
【００１８】
なお、本実施例ではケーソン１を下方から支持する底部戸当り３をダム堰体２の水平部２ｂに設置したものを示したが、側部戸当り１１の下部前面に設置したものでもよい。
【００１９】
【発明の効果】
以上説明したように、本発明の水中仮締切り設備によれば、横方向の荷重を側部戸当りの突出部で支持させるので、ターンバックル形式の金物には縦方向の荷重のみを受け持たせれば良く、側部戸当りを取付けるためのアンカーに、ダム堰体にケーソンを引き締めるためのアンカーを兼ねさせることができる。したがって、従来、別途必要としていた、ダム堰体にケーソンを引き締めるためのアンカーを省略することができる。また、同様の理由によって、本発明の水中仮締切り設備では、ターンバックル形式の金物は従来のものより細いもので良くなる。
【図面の簡単な説明】
【図１】（ａ）は本発明の水中仮締切り設備の概略平面図、（ｂ）は（ａ）の正面図である。
【図２】（ａ）は従来の水中仮締切り設備の概略平面図、（ｂ）は（ａ）の正面図である。
【符号の説明】
１        ケーソン
１ａａ    脚部
２        ダム堰体
２ａ      コンクリート面
２ｂ      水平部
３        底部戸当り
１１      側部戸当り
１１ａ    突出部
１２      金物
【図１】
0004056635.tif 000002
【図２】
0004056635.tif 000003